(57)【特許請求の範囲】
【請求項１】
第１コネクタを含む電子部品が搭載された回路基板と、
導電材で被覆され前記第１コネクタに組み合う第２コネクタが先端に接続されたケーブルと、
前記回路基板に対面して広がり、その表裏面に通じる第１開口が形成された金属部品と、
前記回路基板との間に前記金属部品を挟んで該金属部品に対面して広がり、前記ケーブルの配線路を区画して該ケーブルを前記第１開口に導く、その表裏面に通じ該配線路に前記金属部品を覗かせた第２開口が形成された樹脂部品とを有することを特徴とする電子機器。
【請求項２】
前記樹脂部品が、前記第２開口を区画する縁に、前記金属部品に対し立設し、立設した先端部が鉤状に曲がって、前記ケーブルを該金属部品との間に挟み込むフックを有することを特徴とする請求項１記載の電子機器。
【請求項３】
前記金属部品との間に前記樹脂部品および前記ケーブルを挟んで該樹脂部品に対面して広がり、該ケーブルを、前記配線路に覗いた前記金属部品に押し当てるカバー部材を有することを特徴とする請求項１又は２記載の電子機器。
【請求項４】
前記回路基板、前記金属部品、および前記樹脂部品を含む本体装置と、
表示画面を有し前記本体装置に開閉自在にヒンジ接続された表示装置とを有し、
前記ケーブルが、前記表示装置と前記本体装置との間を電気的に接続するケーブルであることを特徴とする請求項１から３のうちいずれか１項記載の電子機器。
【発明の詳細な説明】
【技術分野】
【０００１】
本件は、例えばノート型パーソナルコンピュータ等の電子機器に関する。
【背景技術】
【０００２】
ノート型パーソナルコンピュータ（以下、「ノートＰＣ」と称する）は、ＣＰＵ（Ｃｅｎｔｒａｌ  Ｐｒｏｃｅｓｓｉｎｇ  Ｕｎｉｔ）が搭載された本体装置に表示画面を有する表示装置が開閉自在に接続された構造を有する。このノートＰＣには、本体装置と表示装置とを結ぶケーブルが配線されている。このケーブルは、表示画面上に表示する画像を表わす信号を伝達する。この信号は高周波信号であり、電波ノイズ対策が施されたケーブルが使用される。電波ノイズ対策のため、このケーブルには、導電布が巻かれる。ノートＰＣ内にグランドに接続されたガスケット等の接触部品を配置し、導電布をその接触部品に接触させてケーブルをグランドに接続する構造が採用されている。この構造を採用すると、ケーブルに巻かれた導電布をグランドに接続する目的のみのためにガスケット等の部品が追加されることになる。また、そのノートＰＣの開発段階において、当初設置したガスケット等の接触部品のみではケーブルがグランドへ不安定な接続となる場合にはそのような接触部品の設置部の形状変更等の設計変更が必要となることがある。ノートＰＣの開発において、このような設計変更は、コスト上極めて非効率である。
【０００３】
先行技術として、ケーブルが挿通されるガイド溝にゴム状弾性体からなるケーブル押えを嵌め込むことで、ケーブルをガイド溝に抜け止め保持する構造が知られている。また、他の先行技術として、ロッカーの金属製の側柱に電源ケーブルを集約的に収容する長溝部を設ける構造が知られている。しかしながらこれら先行技術は、いずれもケーブルの接地とは無関係である。
【先行技術文献】
【特許文献】
【０００４】
【特許文献１】特開平９−１１６２７６号公報
【特許文献２】特開平５−３１５７７５号公報
【発明の概要】
【発明が解決しようとする課題】
【０００５】
本件開示の電子機器は、ケーブルの導電被覆を部品の追加なく良好に接地することにある。
【課題を解決するための手段】
【０００６】
本件開示の電子機器は、回路基板と、ケーブルと、金属部品と、樹脂部品とを有する。
【０００７】
回路基板は、第１コネクタを含む電子部品が搭載されている。
【０００８】
ケーブルは、導電材で被覆され第１コネクタに組み合う第２コネクタが先端に接続されている。
【０００９】
また、金属部品は、回路基板に対面して広がり、その表裏面に通じる第１開口が形成されている。
【００１０】
さらに、樹脂部品は、回路基板との間に金属部品を挟んでその金属部品に対面して広がる。この樹脂部品には、上記ケーブルの配線路を区画してそのケーブルを上記第１開口に導く、その表裏面に通じ配線路に上記金属部品を覗かせた第２開口が形成されている。
【発明の効果】
【００１１】
本件開示の電子機器によれば、部品の追加なく、ケーブルの導電被覆が良好に接地される。これにより、このような電子機器はコスト観点で効率的に開発される。
【図面の簡単な説明】
【００１２】
【図１】閉状態にあるノートＰＣの斜視図である。
【図２】開状態にあるノートＰＣの斜視図である。
【図３】本体装置上面の、キーボードの奥側の部分を覆うカバーユニットを取り外して示した分解斜視図である。
【図４】カバーユニットを取り外した後の本体装置の一部を示した部分拡大斜視図である。
【図５】本体装置の層構造を示した分解斜視図である。
【図６】比較例としてのノートＰＣの、実施形態のノートＰＣの配線路と同様の部分の拡大斜視図である。
【発明を実施するための形態】
【００１３】
以下、実施形態を説明する。
【００１４】
図１は、閉状態にあるノートＰＣの斜視図である。また、図２は、開状態にあるノートＰＣの斜視図である。このノートＰＣは、本件にいう電子機器の一例である。
【００１５】
ノートＰＣ１００は、本体装置１１０と表示装置１２０とを有する。表示装置１２０は、ヒンジ部１３０により本体装置１１０に接続されている。このノートＰＣ１００は、このヒンジ部１３０を中心に、表示装置１２０が図１に示す閉状態と図２に示す開状態との間で開閉自在である。
【００１６】
本体装置１１０は、その上面に各種インジケータ１１１や各種ファンクションボタン１１２、キーボード１１３、トラックパッド１１４等を備える。この本体装置１１０の内部には、演算処理の中核となる、図示しないＣＰＵ（Ｃｅｎｔｒａｌ  Ｐｒｏｃｅｓｓｉｎｇ  Ｕｎｉｔ）などの電子部品が搭載された回路基板が広がっている。
【００１７】
また、表示装置１２０は表示画面１２１を有する。この表示画面１２１には、本体装置１１０からの指示（信号）に応じた各種画像が表示される。
【００１８】
図３は、本体装置上面の、キーボードの奥側の部分を覆うカバーユニットを取り外して示した分解斜視図である。また、図４は、カバーユニットを取り外した後の本体装置の一部を示した部分拡大斜視図である。さらに図５は、本体装置の層構造を示した分解斜視図である。
【００１９】
ヒンジ部１３０は円筒形のケーブル通路１３１を有し、そのケーブル通路１３１には、ケーブル１３２が挿通されている。このケーブル１３２は、表示装置１２０の表示画面１２１に表示する画像を表わす画像信号を伝送する。ケーブル１３２の外周は、その画像信号の伝送に伴う放射ノイズを抑えるために導電布で被覆されている。
【００２０】
本体装置１１０は、図５に示すように、下層側から順に回路基板１４０、金属板１５０、樹脂板１６０が配置され、さらにその上にキーボード１１３やカバーユニット１７０（図３参照）が配置されている。なお、本体装置１１０は、図５に示される回路基板１４０のさらに下層側に不図示の樹脂製ロアカバーも備え、樹脂板１６０とロアカバーにより形成される内部空間に、回路基板１４０および金属板１５０を収容している。
【００２１】
回路基板１４０には、コネクタ１４１を含む多数の電子部品が搭載されている。図５は、回路基板１４０上にコネクタ１４１と組み合うコネクタ１３３を示す。この図５は分解斜視図であり、コネクタ１３３は、図５においてケーブル１３２と分断して示されているが、物理的にケーブル１３２の先端に接続されている。
【００２２】
金属板１５０は、回路基板１４０に対面して広がり、回路基板１４０のシールド部材としての役割りを担う金属部品である。この金属板１５０には、その表裏面に通じるいくつかの開口が設けられている。それら開口のうちの１つは、ケーブル１３２およびコネクタ１３３を回路基板１４０上のコネクタ１４１につなげるための通路となっている。
【００２３】
樹脂板１６０は、回路基板１４０との間に金属板１５０を挟んでその金属板１５０に対面して広がる樹脂部品である。この樹脂板１６０には、ケーブル１３２の配線路を区画する開口１６１が形成されている。この開口１６１による配線路は、金属板１５０に形成された開口につながっている。この金属板１５０に形成された開口は、ケーブル１３２の先端のコネクタ１３３（図５参照）を回路基板１４０上のコネクタ１４１に導くためのものである。開口１６１は、樹脂板１６０の表裏面に通じている。したがってその開口１６１には、樹脂板１６０の下に広がる金属板１５０があらわれている。
【００２４】
表示装置１２０内にも配置されケーブル通路１３１から本体装置１１０側に出たケーブル１３２は、樹脂板１６０の開口１６１で区画された配線路を通り、金属板１５０の開口を通る。そしてそのケーブル１３２の先端のコネクタ１３３が、回路基板１４０上のコネクタ１４１と結合している。
【００２５】
この配線路には、金属板１５０が覗いているため、金属板１５０の色と樹脂板１６０の色との相違により配線路が明確に視認される。このため、組立作業が効率化され、ミスが低減する。
【００２６】
また樹脂板１６０は、その配線路を区画する開口１６１の縁に、金属板１５０に対し立設し、その立設した先端部が配線路に向かって鉤状に曲がったフック１６２を有する。このフック１６２には、配線路に通すためにケーブル１３２が引っ掛けられる。
【００２７】
そのフック１６２の、鉤状に曲がった部分と金属板１５０との間の隙間は、ケーブル１３２の径よりも若干狭めに作られている。このため、そのフック１６２に引っ掛けられたケーブル１３２は金属板１５０に押し当てられる。これにより、ケーブル１３２を被覆している導電布が確実に金属板１５０に接触し、ケーブル１３２の導電布は接地される。
【００２８】
また、この配線路の上には、図３に示すカバーユニット１７０が被せられる。配線路を通過するケーブル１３２は、そのカバーユニット１７０によって、その配線路のほぼ全長にわたって金属板１５０に押し当てられる。ケーブル１３２を被覆している導電布は、このカバーユニット１７０による金属板１５０への押し当てによっても、接地がさらに確実となっている。
【００２９】
図６は、比較例としてのノートＰＣの、上述の実施形態のノートＰＣの配線路と同様の部分の拡大斜視図である。
【００３０】
この図６に示す比較例としてのノートＰＣの場合、ケーブル１３２’は、円筒形のケーブル通路１３１’から出た箇所で導電性のガスケット１８１に押し当てられている。このガスケット１８１は、接地電位にある金属部品１８２との間がアルミニウムテープ１８３で接続されている。従来は、一例として、この図６に示す構造によってケーブルの導電被覆が接地されている。
【００３１】
この図６に示す構造の場合、ケーブル被覆の接地のためだけにガスケット１８１やアルミニウムテープ１８３などの部品が必要である。また、それらの部品の組立工数も必要となり、それら部品がノートＰＣのコストに影響を及ぼしている。
【００３２】
これに対し、上述の実施形態は、本来必要となる金属板や樹脂板の形状を工夫し、接地のためだけの部品を必要とすることなくケーブル１３２の導電布を確実に接地している。これにより、ノートＰＣのコストが抑止される。
【符号の説明】
【００３３】
１００    ノートＰＣ
１１０    本体装置
１１３    キーボード
１２０    表示装置
１２１    表示画面
１３０    ヒンジ部
１３１，１３１’    ケーブル通路
１３２，１３２’    ケーブル
１３３，１４１    コネクタ
１４０    回路基板
１５０    金属板
１６０    樹脂板
１６１    開口
１６２    フック
１７０    カバーユニット
１８１    ガスケット
１８２    金属部品
１８３    アルミニウムテープ
【図１】
0005609653.tif 000002
【図２】
0005609653.tif 000003
【図３】
0005609653.tif 000004
【図４】
0005609653.tif 000005
【図５】
0005609653.tif 000006
【図６】
0005609653.tif 000007